(57)【要約】【課題】  ランプ交換費以外の工事費がほとんどかからず、しかも大幅な節電が可能な、既設照明設備を改修するための高圧放電灯用補助安定器およびそれを用いた高圧放電灯点灯装置を提供する。【解決手段】  ランプ用口金、インピーダンス成分を含む安定器およびソケットとを備え、前記ランプ用口金と前記ソケットとは前記インピーダンス成分を含む安定器を介して電気的に接続され、それらを一体的に組み合わせて構成されたことを特徴とする。【選択図】      図２
2005243457.tif 000002
【特許請求の範囲】
【請求項１】
ランプ用口金、インピーダンス成分を含む安定器およびソケットとを備え、前記ランプ用口金と前記ソケットとは前記インピーダンス成分を含む安定器を介して電気的に接続され、それらを一体的に組み合わせて構成されたことを特徴とする高圧放電灯用補助安定器。
【請求項２】
安定器を介して電源に接続されたソケットに螺着された請求項１記載の高圧放電灯用補助安定器と、該高圧放電灯用補助安定器のソケットに螺着された高圧放電灯とを備えることを特徴とした高圧放電灯点灯装置。
【発明の詳細な説明】
【技術分野】
【０００１】
本発明は高圧放電灯を点灯するための補助安定器およびそれを用いた高圧放電灯点灯装置の改良に関する。
【背景技術】
【０００２】
従来、工場、ガソリンスタンドなどでは照明手法として高効率のＨＩＤランプ、例えば高圧水銀灯や高圧ナトリウムランプが使用されている。しかしながら、これらのランプは演色性が白熱ランプなどに比べて大幅に劣り、必ずしも満足できる光源ではなかった。
【０００３】
最近、発光管にセラミックを使用したいわゆるセラミックメタルハライドランプが商品化されている。このランプは高圧水銀灯に比して遥かに高く、高圧ナトリウムランプのそれに近い効率を持ち、しかも演色性は白熱ランプのそれに匹敵している。
【０００４】
近年の環境負荷の低減に対する要望から、従来の高圧水銀灯を用いた照明手法に替わって、新しいセラミックメタルハライドランプを使った照明手法に切り替えるやり方があらゆる分野で行われようとしている。高圧水銀灯からセラミックメタルハライドランプに切り替える場合、いくつかの方法が考えられる。
【０００５】
（１）既設の安定器はそのままで、ランプのみを取り替える。
【０００６】
この方法は設備投資額が最も安く済むが、ほとんど節電にはならない。明るさは約３０％増加し、演色性Ｒａは約３０から８０以上に改善される。
【０００７】
（２）明るさは変えずに既設の安定器とランプを取り替える。
【０００８】
この方法は設備投資額は高くなるが、大幅な節電が可能である。例えば高圧水銀灯４００Ｗの照明設備の安定器を低出力の安定器に取り替えてセラミックメタルハライドランプ２７０Ｗの照明に切り替えると、明るさはほぼ同じで約３０％の節電と演色性Ｒａは約３０から８０以上に改善される。
【０００９】
（３）既設の安定器はそのままで、電流制限用の補助安定器を付加し、ランプを取り替える。
【００１０】
この方法は既設の安定器をそのまま使うが、安定器とソケットとの間にインピーダンス成分を含む電流制限用の補助安定器を付加するので、工事費が高くつくと言う欠点がある。そして、設備投資額は前記（２）のケースとほとんど変わらず高くつくが、大幅な節電が可能である。例えば高圧水銀灯４００Ｗの照明設備にインピーダンス成分を含む電流制限用の補助安定器を付加し、セラミックメタルハライドランプ２７０Ｗの照明に切り替えると、明るさはほぼ同じで約３０％の節電と演色性Ｒａは約３０から８０以上に改善される。
【００１１】
ところで、高圧水銀灯からセラミックメタルハライドランプに切り替える場合、上記三つの方法のうち現状では（１）に対する要望が最も多い。その理由はランプの交換のみでよいので、設備投資額が最も安く済むからである。しかしながら、この方法ではほとんど節電にならないので、大幅な節電のできる（３）に対して、設備投資額が少なくて済む方法が強く要望されていた。
【００１２】
従来の補助安定器を付加する方法としては、例えば特許文献１に記載されているような方法が知られていた。特許文献１には、定格ランプ電流に制御するチョークコイルＣＨ１と、等価的にインピーダンスを連続可変できるチョークコイルＣＨ２を直列に接続し、前記チョークコイルＣＨ２のインピーダンスを調節器からの信号により可変させてなるＨＩＤランプ用遅相式点灯装置が記載されている。この方法は前述の（３）に相当し、、既設安定器とソケットとの間に電流制限用のチョークコイルを有する補助安定器を挿入するので、管灯回路の一部を改修する必要が有り、工事費が高くつくと言う欠点がある。また、既設安定器と既設ランプ用ソケットとの間に補助安定器を挿入する際に誤配線をするなどの技術的な問題が発生する。さらに、補助安定器を収容するための場所を確保しなければならないとか、それを固定するために余計な部品が必要になるなどの問題もある。
【００１３】
本発明の目的は以上のような事情に鑑みなされたもので、設備投資額が少なくて済み、しかも大幅な節電が可能な高圧放電灯用補助安定器とそれを用いた高圧放電灯点灯装置を提供することである。
【００１４】
【特許文献１】特開２００３−１８７９９７号公報
【発明の開示】
【発明が解決しようとする課題】
【００１５】
既設の水銀灯照明設備を使ってセラミックメタルハライドランプ照明に切り替える場合
、明るさは変えずに節電しようとすれば、安定器を低出力のものに交換するか、または既設の安定器をそのままにして、電流制限用の補助安定器を付加する必要がある。いずれの方法も前述のとおり、工事費が必要で設備投資額が高くつくという欠点があった。
【００１６】
本発明の目的はランプ交換費以外の工事費がほとんどかからず、補助安定器を挿入する際に誤配線をするなどの技術的な問題が発生せず、さらに補助安定器を収容するための場所の確保と、それを固定するための部品を必要とせず、しかも大幅な節電が可能な、既設照明設備を改修するための高圧放電灯用補助安定器およびそれを用いた高圧放電灯点灯装置を提供することである。
【課題を解決するための手段】
【００１７】
上記の目的を達成するために、請求項１に記載の高圧放電灯用補助安定器は、ランプ用口金、インピーダンス成分を含む安定器およびソケットとを備え、前記ランプ用口金と前記ソケットとは前記インピーダンス成分を含む安定器を介して電気的に接続され、それらを一体的に組み合わせて構成されたことを特徴としている。
【００１８】
請求項２に記載の高圧放電灯点灯装置は、安定器を介して電源に接続されたソケットに螺着された請求項１記載の高圧放電灯用補助安定器と、該高圧放電灯用補助安定器のソケットに螺着された高圧放電灯とを備えることを特徴としている。
【発明の効果】
【００１９】
請求項１に記載の発明によれば、既設の水銀灯照明設備を使ってセラミックメタルハライドランプの照明に切り替える場合、ランプ交換時に高圧放電灯用補助安定器を既設のソケットに螺着するだけでよいので、既存設備を改変する必要が無く、工事費はほとんどランプ交換費用程度の少ない費用で実施できる。
【００２０】
また、既設安定器と既設ランプ用ソケットとの間に補助安定器を挿入しなくてよいので、改修時に誤配線をするなどの技術的な問題も発生しない。さらに、補助安定器を収容するための場所の確保や、それを固定するための部品なども必要でなくなる。
【００２１】
請求項２の発明によれば、高圧放電灯用補助安定器を介してランプを点灯するので、既設照明設備に比べて、ランプ出力の大幅な低減が可能で、省電力効果が大きい。しかも、明るさは既設照明設備と同程度に保持でき、平均演色評価数Ｒａは大幅に改善される。
【発明を実施するための最良の形態】
【００２２】
図により本発明を説明する。図１は本発明に係る高圧放電灯用補助安定器を示す模式図である。図１において、１は高圧放電灯用補助安定器を示している。高圧放電灯用補助安定器１は電流制限用のインピーダンス成分を含む安定器３とその一端に付設されたランプ用口金２および他端に付設されたソケット４とより構成されている。そして、前記ランプ用口金２およびソケット４は前記インピーダンス成分を含む安定器３を介して電気的に接続されている。使用するランプの大きさが１５０Ｗ以上の場合には、一般的にはランプ用口金はＥ−３９が使用される。また、ランプが１５０Ｗより小さい場合にはＥ−２６が使用される。インピーダンス成分を含む安定器３は使用するランプの大きさに応じて、そのインピーダンスの値が決められる。
【００２３】
このような構成の高圧放電灯用補助安定器１は、図２で示した組み合わせで実際に使用される。図２において、１は高圧放電灯用補助安定器、５は交換用の高圧放電ランプ、６は既設の照明設備のソケット、７は既設の安定器である。図２において、２本の上向きの矢印線は、それぞれ高圧放電灯用補助安定器と高圧放電ランプを上方のソケットに螺着することを示している。
【００２４】
既設の照明設備を使って高圧放電灯用補助安定器と交換用ランプを取り付ける手順は下記のとおりである。まず、既設の照明設備から交換される既設ランプ（図示せず）をソケット６から取り外す。次に高圧放電灯用補助安定器１を既設のソケット６に螺着する。次に交換用ランプ５を高圧放電灯用補助安定器１のソケットに螺着する。以上で、既設の照明設備に交換用のランプが点灯できるようになる。
【００２５】
本発明によれば、既設の照明設備における交流電源からソケット６までの間は一切改修の必要がないので、工事費としては既設ランプの取り外しと補助安定器と交換用ランプの取り付け工事だけとなり、既設の水銀灯照明からセラミックメタルハライドランプによる照明への改修は、ランプ交換費用に少し付け足す程度の安い費用でできる。
【００２６】
また、既設安定器と既設ランプ用ソケットとの間に補助安定器を挿入しなくてよいので、改修時に誤配線をするなどの技術的な問題が発生することもない。されに、補助安定器を収容するための場所の確保や、それを固定するための部品なども必要としない。
【実施例】
【００２７】
次に、既設の高圧水銀灯４００Ｗの照明設備に高圧放電灯用補助安定器を付加してセラミックメタルハライドランプ２７０Ｗの照明に改修する場合の実施例を説明する。
【００２８】
図１において、ランプ用口金２はＥ−３９とし、同じく４はＥ−３９用のソケットとする。電流制限用のインピーダンス成分を含む安定器３は鉄心に銅線を巻回したもので、既設の安定器と共にランプに流れる電流を制限し、ランプを定格状態で安定点灯させる為の特性を有し、その外側は鉄製の円筒状カバーで保護されている。そして、前記ランプ用口金２とソケット４とはそれぞれインピーダンス成分を含む安定器３を介して電気的に接続され、前記円筒状カバーにしっかりと固定されている。
【００２９】
図２において、交流電源は６０Ｈｚ、２００Ｖ、７は既設の水銀灯４００Ｗ用安定器、６はＥ−３９用のソケットである。図には示していないが、ソケット６は一般にはセードなどのような照明器具内に取り付けられている。このような既設水銀灯設備に前記高圧放電灯用補助安定器１を取り付け、前記高圧放電灯用補助安定器１のソケットにセラミックメタルハライドランプ５を取り付ける。図２ではセラミックメタルハライドランプは管形外球の透明形で示してあるが、使用する照明器具がセードの場合は、一般的には外球に拡散材を塗布した拡散形を使用する。
【００３０】
以上の既設水銀灯照明設備の改修により、照度は従来とほぼ同じで、約３０％の節電と、演色性Ｒａは約３０から約９０に大幅に改善することができた。
【００３１】
ここで、従来の高圧放電灯用補助安定器を既設の安定器とソケットとの間に付設する場合と本発明による高圧放電灯用補助安定器をソケットに螺着する場合とを設備費で比較すると次のようになる。
【００３２】
＜従来の場合＞
設備費＝光源費＋補助安定器費＋ランプ交換費＋補助安定器取付費
＜本発明の場合＞
設備費＝光源費＋補助安定器費＋ランプ交換費＋補助安定器螺着費
すなわち、従来の場合は安定器とソケットとの間の一部管灯回路を改修する必要があり、補助安定器取付工事費は高くつくが、本発明の補助安定器螺着費はほとんどランプ交換費に含められる程度の少ない費用で実施できる。
【００３３】
以上説明したように、本発明によれば、既設照明設備への高圧放電灯用補助安定器の取り付けは、既設のソケットに螺着するだけでよいので、取り付け工事費をほとんど必要としない。
【００３４】
また、既設安定器と既設ランプ用ソケットとの間に補助安定器を挿入しなくてよいので、改修時に誤配線をするなどの技術的な問題も発生しない。さらに、補助安定器を収容するための場所の確保や、それを固定するための部品なども必要でなくなる。
【００３５】
また、本発明の高圧放電灯用補助安定器を使用した高圧放電灯点灯装置は、既設照明装置に比べて明るさを変えずに大幅な節電と光の質の改善が可能である。
【図面の簡単な説明】
【００３６】
【図１】本発明に係る補助安定器を示す模式図。
【図２】本発明に係る高圧放電灯点灯装置を示す模式図。
【図３】従来の補助安定器を使った点灯装置を示す模式図。
【符号の説明】
【００３７】
１    高圧放電灯用補助安定器
２    ランプ用口金
３    インピーダンス成分を含む安定器
４    ソケット
５    交換用ランプ
６    既設設備のソケット
７    既設設備の安定器
【図１】
2005243457.tif 000003
【図２】
2005243457.tif 000004
【図３】
2005243457.tif 000005